(57)【要約】【課題】照明効率を高めることができレンズアレイの製造を容易にできる照明装置及びこれを用いたプロジェクターを提供すること。【解決手段】光束調整装置８０において、第１部分光束ＳＬ１を空間的に非反転の状態に保ち、第２部分光束ＳＬ２を空間的に反転させ、第１及び第２部分光束ＳＬ１，ＳＬ２を偏光状態の揃った状態で射出する。これにより、均一化用のレンズアレイ３１，３２の通過後に偏光ビームスプリッターアレイを通過させる必要がなくなり、照明効率を高めることができる。また、レンズアレイ３１，３２は、偏心等の必要がなくなり、簡単な構造のものを用いることができる。また、第１部分光束ＳＬ１と第２部分光束ＳＬ２とを互いに反転して取り出しているので、凹面鏡２２ｂによって形成された照明光束の照度ムラを低減した偏りの少ない照明光束を得ることができる。【選択図】図２
2011113002.tif 000002
【特許請求の範囲】
【請求項１】
光を発生する発光管と、
システム光軸を含んで互いに垂直に交わる２平面によって切り取られる形状のうち、一方の平面で切り取られる弧の形状と、他方の平面で切り取られる弧の形状とが異なる非回転対称な凹面形状を有する反射面を備え、当該反射面で前記発光管からの光を反射して照明光を射出するアナモフィック型の反射鏡と、
前記発光管及び前記アナモフィック型の反射鏡の光路下流側に配置され、透過する光を平行化する平行化レンズと、
前記平行化レンズの光路下流側に配置され、入射する光を偏光状態の異なる第１部分光束と第２部分光束とに分岐し、前記第１部分光束を空間的に非反転の状態に保ち、前記第２部分光束を空間的に反転させ、前記第１及び第２部分光束のうち少なくとも一方の偏光状態を変換して、前記第１及び第２部分光束を偏光状態の揃った状態で射出する光束調整装置と、を備える照明装置。
【請求項２】
前記光束調整装置は、入射した光を第１偏光の前記第１部分光束と第２偏光の前記第２部分光束とに分岐する偏光分岐部材と、前記第２部分光束を光路の折り曲げによって反転させる第１及び第２反射部材とを備える、請求項１に記載の照明装置。
【請求項３】
前記第１及び第２反射部材は、内面反射によって光路をそれぞれ折り曲げる第１及び第２プリズムであり、
前記光束調整装置は、前記偏光分岐部材と前記第１及び第２プリズムとを接合した一体構成となっている、請求項２に記載の照明装置。
【請求項４】
前記偏光分岐部材は、前記光束調整装置に入射する光を受ける光入射面と、前記第１部分光束を外部に射出する第１光射出面と、前記第２部分光束を取り出す第１接続面とを有し、
前記第１反射部材は、前記偏光分岐部材の前記第１接続面に接続されて前記第２部分光束を通過させるとともに、前記第２部分光束を取り出す第２接続面を有し、
前記第２反射部材は、前記第１反射部材の前記第２接続面に接続されて前記第２部分光束を通過させるとともに、前記第２部分光束を外部に射出する第２光射出面を有する、請求項２及び請求項３のいずれか一項に記載の照明装置。
【請求項５】
前記第１反射部材は、２つの反射面を有し、前記偏光分岐部材を経た前記第２部分光束を、前記光束調整装置の光路下流側に延びるシステム光軸を含む基準平面に対して垂直な面内で進行方向に対して垂直な方向に２度折り曲げることにより、前記第２部分光束を前記基準平面に対して垂直な方向に関して反転させ、
第２反射部材は、１つの反射面を有し、前記第１反射部材を経た前記第２部分光束を前記基準平面に平行な平面内において進行方向に対して垂直な方向に１度折り曲げる、請求項４に記載の照明装置。
【請求項６】
前記光束調整装置は、前記第１光射出面上及び前記第２光射出面上のいずれか一方に１／２波長板を有する、請求項１から請求項５までのいずれか一項に記載の照明装置。
【請求項７】
前記一方の平面は、前記光束調整装置の光路下流側に延びるシステム光軸を含む基準平面に対して平行に延び、
前記アナモフィック型の反射鏡の反射面において、前記一方の平面で切り取られる形状が前記発光管の電極間中心を焦点とする放物状の弧を描くとともに、前記他方の平面で切り取られる形状が前記放物状の弧の焦点を第１焦点とする楕円状の弧を描く、請求項１から請求項６までのいずれか一項に記載の照明装置。
【請求項８】
前記光束調整装置の前記光入射面のアスペクト比は、２：１以上である、請求項１から請求項８までのいずれか一項に記載の照明装置。
【請求項９】
前記発光管は、前記発光管の電極間中心から前記アナモフィック型の反射鏡とは反対側に射出された光を逆方向に反射する補助反射鏡を有する、請求項１から請求項８までのいずれか一項に記載の照明装置。
【請求項１０】
前記平行化レンズは、前記光束調整装置の前記光入射面に接合されている、請求項１から請求項９までのいずれか一項に記載の照明装置。
【請求項１１】
前記平行化レンズは、シリンドリカル非球面を有するシリンドリカルレンズである、請求項１から請求項１０までのいずれか一項に記載の照明装置。
【請求項１２】
請求項１から請求項１１までのいずれか一項に記載の照明装置と、
前記照明装置から射出された光束によって照明される光変調装置と、
前記光変調装置から射出された光束を投射する投射光学系と、
を備えるプロジェクター。
【発明の詳細な説明】
【技術分野】
【０００１】
本発明は、発光管からの光を反射する反射鏡を有する照明装置及びこれを用いたプロジェクターに関する。
【背景技術】
【０００２】
プロジェクター用の照明装置として、レンズアレイと偏光変換素子とを備えるものであって、偏光変換素子が、レンズアレイを通過した複数の部分光束をそれぞれ２種類の偏光成分に分離する偏光ビームスプリッターアレイと、偏光ビームスプリッターアレイから射出される２種類の偏光成分の偏光方向を揃える位相差板とを有するものが知られている（特許文献１参照）。
【０００３】
また、別の照明装置として、楕円面のリフレクター（反射鏡）を備えるものであって、当該リフレクターの中心軸を含む垂直断面の形状と水平断面の形状とで互いに異なる楕円形状となる回転非対称の反射面を利用することで、装置の薄型化を図るものが知られている（特許文献２参照）。
【先行技術文献】
【特許文献】
【０００４】
【特許文献２】特開平１１−１８３８４８号公報
【特許文献１】特開２００９−５４３４０号公報
【発明の概要】
【発明が解決しようとする課題】
【０００５】
しかしながら、特許文献１の照明装置の場合、偏光ビームスプリッターアレイによって光源像が２倍になり、照明効率を低下させている。また、偏光ビームスプリッターアレイでのロスを少なくするために、レンズアレイを構成する各要素レンズを偏心したものとする必要があり、レンズアレイの製造が容易でなくなり照明装置が高価なものとなっている。
【０００６】
なお、特許文献１の照明装置のように、垂直断面と水平断面とが互いに異なる楕円形状を有する反射面を用いた場合、照明装置から射出させる照明光束のアスペクト比を自在に調整することができるが、偏光ビームスプリッターアレイによって照明効率が低下する問題や、偏心系のレンズアレイの製造が容易でない問題が解消する訳ではない。
【０００７】
そこで、本発明は、照明効率を高めることができレンズアレイの製造を容易にできる照明装置及びこれを用いたプロジェクターを提供することを目的とする。
【課題を解決するための手段】
【０００８】
上記課題を解決するため、本発明に係る照明装置は、光を発生する発光管と、システム光軸を含んで互いに垂直に交わる２平面によって切り取られる形状のうち、一方の平面で切り取られる弧の形状と、他方の平面で切り取られる弧の形状とが異なる非回転対称な凹面形状を有する反射面を備え、当該反射面で発光管からの光を反射して照明光を射出するアナモフィック型の反射鏡と、発光管及びアナモフィック型の反射鏡の光路下流側に配置され、透過する光を平行化する平行化レンズと、平行化レンズの光路下流側に配置され、入射する光を偏光状態の異なる第１部分光束と第２部分光束とに分岐し、第１部分光束を空間的に非反転の状態に保ち、第２部分光束を空間的に反転させ、第１及び第２部分光束のうち少なくとも一方の偏光状態を変換して、第１及び第２部分光束を偏光状態の揃った状態で射出する光束調整装置と、を備える。
【０００９】
上記照明装置では、光束調整装置が、第１部分光束を空間的に非反転の状態に保ち、第２部分光束を空間的に反転させ、第１及び第２部分光束を偏光状態の揃った状態で射出するので、平行化レンズの光路下流側に均一化用のレンズアレイ等を設けた場合、このレンズアレイの通過後に光源像を倍増させる偏光ビームスプリッターアレイを通過させる必要がなくなり、照明効率を高めることができ、簡単な構造のレンズアレイを用いて均一化を行うことができる。また、上記照明装置では、予め偏光状態を揃える偏光変換に際して、第１部分光束と第２部分光束とを互いに反転して取り出しているので、反射鏡によって形成された照明光束に照度ムラがあってもその照度ムラを低減した偏りの少ない照明光束を得ることができる。
【００１０】
また、本発明の具体的な態様又は側面によれば、光束調整装置が、入射した光を第１偏光の第１部分光束と第２偏光の第２部分光束とに分岐する偏光分岐部材と、第２部分光束を光路の折り曲げによって反転させる第１及び第２反射部材とを備える。この場合、第１及び第２反射部材によって第２部分光束の光路を折り曲げて第１部分光束と同一の方向に導くことができ、第１及び第２部分光束の連続的な継ぎ合わせが容易になる。
【００１１】
また、本発明の別の態様によれば、第１及び第２反射部材が、内面反射によって光路をそれぞれ折り曲げる第１及び第２プリズムであり、光束調整装置が、偏光分岐部材と第１及び第２プリズムとを接合した一体構成となっている。この場合、光束調整装置を一体のブロック状の部品として取り扱うことができ、照明装置への組込や調整が容易になる。
【００１２】
また、本発明の別の態様によれば、偏光分岐部材が、光束調整装置に入射する光を受ける光入射面と、第１部分光束を外部に射出する第１光射出面と、第２部分光束を取り出す第１接続面とを有し、第１反射部材が、偏光分岐部材の第１接続面に接続されて第２部分光束を通過させるとともに、第２部分光束を取り出す第２接続面を有し、第２反射部材が、第１反射部材の第２接続面に接続されて第２部分光束を通過させるとともに、第２部分光束を外部に射出する第２光射出面を有する。この場合、光束調整装置に入射した光のうち偏光分岐部材で分岐された第１偏光の第１部分光束は、偏光分岐部材に設けた第１光射出面から射出され、第２偏光の第２部分光束は、偏光分岐部材から第１反射部材を経て第２反射部材に導かれ、第２反射部材に設けた第２光射出面から射出される。
【００１３】
また、本発明の別の態様によれば、第１反射部材が、２つの反射面を有し、偏光分岐部材を経た第２部分光束を、光束調整装置の光路下流側に延びるシステム光軸を含む基準平面に対して垂直な面内で進行方向に対して垂直な方向に２度折り曲げることにより、第２部分光束を基準平面に対して垂直な方向に関して反転させ、第２反射部材が、１つの反射面を有し、第１反射部材を経た第２部分光束を基準平面に平行な平面内において進行方向に対して垂直な方向に１度折り曲げる。この場合、第２部分光束が基準平面に平行であってシステム光軸に垂直な方向に分岐されることを前提として、第２部分光束を、第１反射部材によって基準平面に対して垂直な方向に上下反転させ、第２反射部材によって第１部分光束と同一の方向に射出させることができる。
【００１４】
また、本発明の別の態様によれば、光束調整装置が、第１光射出面上及び第２光射出面上のいずれか一方に１／２波長板を有する。この場合、第１及び第２光射出面からそれぞれ射出される第１及び第２部分光束の偏光状態を簡易に一致させることができる。
【００１５】
また、本発明の別の態様によれば、一方の平面が、光束調整装置の光路下流側に延びるシステム光軸を含む基準平面に対して平行に延び、アナモフィック型の反射鏡の反射面において、一方の平面で切り取られる形状が発光管の電極間中心を焦点とする放物状の弧を描くとともに、他方の平面で切り取られる形状が放物状の弧の焦点を第１焦点とする楕円状の弧を描く。この場合、上記一方の平面については、放物状の弧を描く形状によって光束を予め平行化させることができる。つまり、上記一方の平面に関しては、光束の平行化に用いる後段の光学部品を比較的安価なもので構成することが可能となる。また、上記他方の平面については、楕円状の弧を描く形状を有するので、システム光軸に垂直な方向の寸法を比較的短くして、照明装置の薄型化を図ることができる。
【００１６】
また、本発明の別の態様によれば、光束調整装置の光入射面のアスペクト比が、２：１以上である。この場合、光束調整装置から射出される光は、正方形の光束断面又は一方の平面の方向に長い光束断面を有するものとなる。
【００１７】
また、本発明の別の態様によれば、発光管が、発光管の電極間中心からアナモフィック型の反射鏡とは反対側に射出された光を逆方向に反射する補助反射鏡を有する。この場合、光路下流側に直接射出された光束を有効に回収することができ、光の利用効率を高めることができる。
【００１８】
また、本発明の別の態様によれば、平行化レンズが、光束調整装置の光入射面に接合されている。この場合、平行化レンズの組み付けが容易になる。
【００１９】
また、本発明の別の態様によれば、平行化レンズが、シリンドリカル非球面を有するシリンドリカルレンズである。この場合、比較的簡易な形状の平行化レンズによって通過光束を平行化することができる。
【００２０】
上記課題を解決するため、本発明に係るプロジェクターは、上記のいずれかの照明装置と、照明装置から射出された光束によって照明される光変調装置と、光変調装置から射出された光束を投射する投射光学系と、を備える。この場合、上記いずれかの照明装置を用いることで、照明光の質を保ちつつプロジェクター全体として簡易な薄型化を図ることができる。
【図面の簡単な説明】
【００２１】
【図１】第１実施形態に係る照明装置を組み込んだプロジェクターを概念的に示す平面図である。
【図２】（Ａ）〜（Ｃ）は、第１実施形態に係る照明装置による光束の分岐について説明するための水平断面図、垂直断面図及び光束調整装置の図である。
【図３】（Ａ）、（Ｂ）は、照明装置の水平断面及び垂直断面における光束の様子を示す図である。
【図４】照明装置の反射鏡を示す斜視図である。
【図５】光源で形成される光束断面の図である。
【図６】照明装置の光束調整装置を示す斜視図である。
【図７】（Ａ）〜（Ｄ）は、光束の上下の反転について説明するための模式図である。
【図８】（Ａ）、（Ｂ）は、光束の左右の反転について説明するための模式図である。
【図９】照明装置の変形例を示す図である。
【図１０】照明装置の別の変形例を示す図である。
【図１１】第２実施形態に係る照明装置を概念的に示す平面図である。
【図１２】第２実施形態に係る照明装置の変形例を概念的に示す平面図である。
【発明を実施するための形態】
【００２２】
〔第１実施形態〕
以下、図１等を参照して、本発明の第１実施形態に係る照明装置及びこれを用いたプロジェクターについて説明する。
【００２３】
図１に示すように、本実施形態に係る照明装置１０を組み込んだプロジェクター１００は、照明装置１０のほかに、色分離導光部４０、光変調部５０、色合成部６０及び投射光学系７０を備える。
【００２４】
まず、照明装置１０は、光源ランプユニット２０、光束調整装置８０及び均一化光学系３０を含む照明光学系である。
【００２５】
光源ランプユニット２０は、光源として、ランプ部２１ａと、凹のシリンドリカルレンズである平行化レンズ２１ｂとを備える。ランプ部２１ａは、発光管２２ａと、凹面鏡２２ｂと、副鏡２３ａとを備える。また、図２（Ａ）等に示すように、光源ランプユニット２０のうち、発光管２２ａは、中央部が球状に膨出した透光性の石英ガラス製の管球部ＰＢと、管球部ＰＢの両端側に延びる第１及び第２封止部２４ａ，２４ｂとを有し、封止部２４ａ，２４ｂによって密閉された管球部ＰＢの内部には、水銀、希ガス及び少量のハロゲンが封入されている。この管球部ＰＢ内に配置された一対の電極（不図示）の電極間中心が発光点ＥＰとなって放射状に光を発生させている。なお、発光管２２ａとしては、種々の発光管を採用でき、例えば、超高圧水銀ランプ、高圧水銀ランプ、メタルハライドランプ等を採用できる。
【００２６】
凹面鏡２２ｂは、発光管２２ａから射出された光束を反射して前方に射出させるアナモフィック型の反射鏡である。凹面鏡２２ｂの反射面ＲＦは、システム光軸ＳＡのうち光源ランプユニット２０における光軸部分であるランプ光軸ＸＡを含んで互いに垂直に交わる２平面のうち、図２（Ａ）に示す一方の平面即ち第１の平面（ランプ光軸ＸＡを含むＸＺ面に平行な面）について切り取った水平断面ＨＳと、図２（Ｂ）に示す他方の平面即ち第２の平面（ランプ光軸ＸＡを含むＹＺ面に平行な面）について切り取った垂直断面ＰＳとで、互いに異なる曲線形状を有している。より具体的には、まず、水平断面ＨＳでの凹面鏡２２ｂの反射面ＲＦａの形状は、発光点ＥＰを焦点とする放物形状になっている。これに対して、垂直断面ＰＳでの凹面鏡２２ｂの反射面ＲＦｂの形状は、ランプ光軸ＸＡ上の発光点ＥＰを第１焦点とする楕円形状となっている。つまり、反射面ＲＦは、一方の平面で切り取られる弧の形状と、他方の平面で切り取られる弧の形状とが異なる非回転対称な凹面形状となっている。これにより、図３（Ａ）に示すように、ランプ光軸ＸＡを含むＸＺ面において、発光点ＥＰから反射面ＲＦａに向かって射出された光束は、反射面ＲＦａで反射された後、平行化された状態で射出される。なお、反射面ＲＦａに対応するＸＺ面は、後述する基準平面に平行となっている。一方、図３（Ｂ）に示すように、ランプ光軸ＸＡを含むＹＺ面において、発光点ＥＰから反射面ＲＦｂに向かって射出された光束は、反射面ＲＦｂで反射された後、ランプ光軸ＸＡ上の第２焦点Ｆ２に収束するように射出される。さらに、凹面鏡２２ｂの水平断面ＨＳや垂直断面ＰＳ以外の中間的な箇所においても、発光点ＥＰから射出された光束は、反射面ＲＦの対応箇所で反射され、ランプ光軸ＸＡを含むＸＺ面に射影した場合、ランプ光軸ＸＡに平行な光束とされ、かつ、ランプ光軸ＸＡを含むＹＺ面に射影した場合、ランプ光軸ＸＡ上の第２焦点Ｆ２に収束する光束とされた状態で射出される。つまり、凹面鏡２２ｂの反射面ＲＦの凹面形状は、放物型の反射面ＲＦａから楕円型の反射面ＲＦｂにかけて連続的に移り変わっている。すなわち、反射面ＲＦは、段差なく連続的に変化する曲面であり、全体として非回転対称形状を有している。
【００２７】
以下、凹面鏡２２ｂについてさらに詳細に説明する。図４に示すように、凹面鏡２２ｂの反射面ＲＦは、反射面ＲＦａ，ＲＦｂ以外の反射面ＲＦｃにおいて、水平断面ＨＳから垂直断面ＰＳに向かって、放物状から楕円状に徐々に段差を有することなく変化しており、全体として滑らかな連続曲面形状を有している。ここで、各断面ＨＳ，ＰＳにおける反射面ＲＦａ，ＲＦｂの形状は、例えば、反射面ＲＦａにおいて放物線の焦点距離ｆ＝１２、反射面ＲＦｂにおいて楕円の第１焦点距離ｆ１＝１２、第２焦点距離ｆ２＝６０となるように設定されている。さらに、反射面ＲＦａ，ＲＦｂ以外の反射面ＲＦｃの具体的な曲面形状は、以下のアナモフィック非球面のサグ量の式
2011113002.tif 000003
ｋｘ，ｋｙ：コーニック定数、ｃｘ，ｃｙ：半径の逆数、
Ａ２ｎ：対称係数、Ｂ２ｎ：非対称係数
に基づいて、上記焦点距離を実現するように各係数等を選定することで決定される。ここで、各コーニック定数ｋｘ，ｋｙは、−１＜ｋｘ＜０の範囲内にあり、ｋｙ＝−１（固定）である。また、ｃｘ，ｃｙに対応する半径は、第１焦点が一致するように調整する必要がある。上記アナモフィック非球面のシミュレーションに際して、反射面ＲＦｃの曲面形状に関する各係数は、ＸＺ面に垂直なＹ方向から見た場合には反射光が平行光となり、ＹＺ面に垂直なＸ方向から見た場合には反射光が収束光となるように定められている。なお、反射面ＲＦｃの曲面形状は、反射面ＲＦａ，ＲＦｂの焦点距離等の条件を前提としており、反射面ＲＦｃは、反射面ＲＦａ，ＲＦｂと滑らかにつながる。以上のようにして、反射面ＲＦａ，ＲＦｂ及び反射面ＲＦｃを設定することにより、図２（Ａ）等に示す発光点ＥＰから射出された光束は、反射面ＲＦａ，ＲＦｂ上で反射されるものに限らず反射面ＲＦｃまで含めた反射面ＲＦ上全体において、Ｙ方向から見ると平行光となり、Ｘ方向から見ると第２焦点Ｆ２に向かう収束光となるようにランプ部２１ａから射出される。凹面鏡２２ｂの具体的な作製方法については、上記のようなシミュレーション結果を基にして反転した形状の金型を作製する。この金型を利用して加熱したガラス材料等をプレス加工し、反射膜を形成することにより、上記のような特殊な形状の反射面ＲＦを有する凹面鏡２２ｂが作製される。なお、±Ｘ方向と±Ｙ方向とこれらの中間方向とを含む反射面ＲＦａ，ＲＦｂ，ＲＦｃの形状は、全体として円形の輪郭を有する滑らかな連続曲面であるため、後述する液晶パネル５１ａ，５１ｂ，５１ｃ（図１参照）に入射する光は、入射角度の方位依存性を抑えた一様性の高いものであり、プロジェクター１００による画像投影に適したものとなっている。
【００２８】
図２（Ａ）等に示すように、副鏡２３ａは、凹面鏡２２ｂと対向するように凹面鏡２２ｂの反対側にある第２封止部２４ｂに挿通・固着されており、発光管２２ａの管球部ＰＢのうち凹面鏡２２ｂの反対側の略半分を覆っている。副鏡２３ａは、球面の反射面ＲＲを有しており、発光管２２ａから放射された光のうち直接前方の平行化レンズ２１ｂに向かう光即ち凹面鏡２２ｂに向かわない光を、一旦発光管２２ａ内に戻して発光点ＥＰ又はその周辺を通過させ、凹面鏡２２ｂの反射面ＲＦに入射させる。つまり、副鏡２３ａは、発光管２２ａから凹面鏡２２ｂとは反対側に射出された光を逆進するように反射して光の利用効率を高める補助反射鏡として機能する。
【００２９】
平行化レンズ２１ｂは、ランプ部２１ａの光路下流側の被照明領域に配置されており、ランプ部２１ａからの光束をランプ光軸ＸＡ即ち照明光軸に略平行な光束にする役割を有するレンズである。このため、平行化レンズ２１ｂの焦点は、反射面ＲＦの第２焦点Ｆ２に一致している。平行化レンズ２１ｂの光入射面ＩＳは、シリンドリカル非球面となっており、図２（Ａ）に示すように、水平方向即ちＸ方向について直線状であり、図２（Ｂ）に示すように、垂直方向即ちＹ方向について反射面ＲＦｂの形状に対応する双曲線状である。つまり、光入射面ＩＳの母線は、ランプ光軸ＸＡに垂直なＸＹ面に平行で、かつ、第１の平面即ちランプ光軸ＸＡを含むＸＺ面に平行な方向（つまりＸ方向）に延びている。なお、平行化レンズ２１ｂの光射出面ＥＳは、ランプ光軸ＸＡに垂直なＸＹ面に平行に延びる平面である。平行化レンズ２１ｂは、以上のような面形状を有することにより、図３（Ａ）及び３（Ｂ）に示すように、ランプ部２１ａから射出された全光束をランプ光軸ＸＡの方向に沿って略平行化した状態で射出する。
【００３０】
なお、上記のような光源ランプユニット２０を用いることで、図５に示すように、光束断面ＦＦの形状を極端に扁平なものとすることができる。本実施形態の場合、アスペクト比を２：１以上としている。アスペクト比が２：１以上の横長である場合、光束断面ＦＦを上下に二つ重ねても正方形又は後述する基準平面に平行なＸ方向に横長の長方形とすることができる。
【００３１】
図１等に示す光束調整装置８０は、平行化レンズ２１の光路下流側に配置され、偏光分岐部材８１と、第１反射プリズム８２と、第２反射プリズム８３と、１／２位相差板８４とを備えており、これらを接合した一体構成となっている。
【００３２】
ここで、図６に示すように、光束調整装置８０は、光束調整装置８０の光路下流側に延びるシステム光軸ＳＡを含むＸＺ面である基準平面に対して垂直な方向（Ｙ方向）に、外形が互いに一致する偏光分岐部材８１と第２反射プリズム８３とを重ねて貼り付けた２階構造を有している。また、第１反射プリズム８２は、偏光分岐部材８１及び第２反射プリズム８３の双方の＋Ｘ側の側面ＳＦ１，ＳＦ２に貼り付けられている。つまり、第１反射プリズム８２の側面であってＹＺ面に平行に延びる側面８２ａのうち半分Ｈ１は、第１接続面である偏光分岐部材８１の側面ＳＦ１に接合され、第１反射プリズム８２の側面８２ａのうち残りの半分Ｈ２は、第２接続面として第２反射プリズム８３の側面ＳＦ２に接合されている。
【００３３】
偏光分岐部材８１は、底面が直角二等辺三角形である合同な三角柱プリズム８１ａ，８１ｂを斜辺の面で貼り合わせて構成された四角柱形状を有するプリズムであり、三角柱プリズム８１ａ，８１ｂの貼合せ面に＋Ｘ及び＋Ｚの中間方向であってＹ方向に延びる偏光分離膜８１ｃが形成されている。図２（Ａ）に示すように、偏光分岐部材８１の光入射面８１ｄは、平行化レンズ２１の光路下流側の被照明領域に配置されており、ＸＹ面に平行に延びている。この光入射面８１ｄには、平行化レンズ２１を経た光束ＳＬが入射する。偏光分離膜８１ｃは、入射した光束ＳＬを偏光状態によって第１部分光束ＳＬ１と第２部分光束ＳＬ２とに分岐する。つまり、図２（Ａ）に示すように、偏光分離膜８１ｃは、入射した照明光である光束ＳＬの偏光成分のうちＸ方向に偏光面を有するＰ偏光（第１偏光）を第１部分光束ＳＬ１として通過させ、Ｙ方向に偏光面を有するＳ偏光（第２偏光）を第２部分光束ＳＬ２として反射する。
【００３４】
図２（Ａ）〜２（Ｃ）に示すように、偏光分離膜８１ｃを通過した第１部分光束ＳＬ１は、光入射面８１ｄに対向する第１光射出面８１ｅに向かって進む。第１光射出面８１ｅは、光入射面８１ｄと同様にＸＹ面に平行に延びている。第１光射出面８１ｅ上には、１／２位相差板８４が貼り付けられており、第１部分光束ＳＬ１は、１／２位相差板８４によりＰ偏光からＳ偏光に変換され、光束調整装置８０の第１光射出面８１ｅからシステム光軸ＳＡに平行な方向即ち＋Ｚ方向に射出される。
【００３５】
一方、図２（Ａ）に示すように、偏光分離膜８１ｃで反射された第２部分光束ＳＬ２は、偏光分岐部材８１の＋Ｘ側の側面ＳＦ１から射出され、偏光分岐部材８１に貼り合わされている第１反射プリズム８２に入射する。
【００３６】
図６等に示すように、第１反射部材である第１反射プリズム８２は、システム光軸ＳＡに平行な方向即ち＋Ｚ方向に延びる底面二等辺三角形の三角柱プリズムであり、第２部分光束ＳＬ２の光路を折り曲げる。第１反射プリズム８２の＋Ｚ方向に延びる側面のうち、ＹＺ面に平行に延びる第１側面８２ａは、偏光分岐部材８１及び第２反射プリズム８３の両側面ＳＦ１，ＳＦ２に合わせた形状を有している。また、第１反射プリズム８２の残りの側面であり、±Ｘ及び−Ｙの中間方向であってＺ方向に延びる第２側面及び第３側面８２ｂ，８２ｃは、例えば反射膜ＲＭ１，ＲＭ２でコートされており、第２部分光束ＳＬ２の光路を内面反射により折り曲げ、第２部分光束ＳＬ２を基準平面に垂直なＹ方向である上下方向に関して反転させるとともに第２反射プリズム８３に向けて射出する。
【００３７】
図２（Ｂ）及び２（Ｃ）に示すように、第１反射プリズム８２の第１側面８２ａの上側半分Ｈ１から入射した第２部分光束ＳＬ２は、第１反射プリズム８２の側面８２ｂ，８２ｃにより、光路を折り曲げられて、第１側面８２ａの下側半分Ｈ２から第２反射プリズム８３に向けて射出される。つまり、第１反射プリズム８２は、＋Ｘ方向に進む第２部分光束ＳＬ２の光路を、側面８３ｂにおいて−Ｙ方向に折り曲げ、さらに側面８３ｂにおいて−Ｘ方向に折り曲げている。この結果、詳しくは後述するが、第２部分光束ＳＬ２は上下について反転した状態で第１反射プリズム８２から射出される。
【００３８】
図６等に示すように、第２反射部材である第２反射プリズム８３は、偏光分岐部材８１と同様に、底面が直角二等辺三角形である合同な三角柱プリズム８３ａ，８３ｂを貼り合わせて構成された四角柱形状を有するプリズムであり、三角柱プリズム８３ａ，８３ｂの貼合せ面に−Ｘ及び＋Ｚの中間方向であってＹ方向に延びる反射膜８３ｃが形成されている。ここで、三角柱プリズム８３ａの３つの側面のうちの１つが第１反射プリズム８２に接合する側面ＳＦ２である。また、三角柱プリズム８３ａの残りの２つの側面のうち斜辺の面が反射膜８３ｃによる反射部分となっており、残る１つが第２光射出面８３ｄとなっている。
【００３９】
第２反射プリズム８３の側面ＳＦ２から入射した第２部分光束ＳＬ２は、反射膜８３ｃにより光路を折り曲げられて、ＸＹ面に平行に延びる第２光射出面８３ｄに向かって進み、光束調整装置８０からシステム光軸ＳＡに平行な方向即ち＋Ｚ方向に射出される。偏光分岐部材８１の第１及び第２反射プリズム８２，８３での反射により、第２部分光束ＳＬ２は左右について反転した状態で第２反射プリズム８３から射出される。
【００４０】
以下、光束調整装置８０における光束の反転について図７（Ａ）等により詳細に説明する。なお、図７（Ａ）〜７（Ｄ）中の副光軸ＸＡ´は、ＸＺ方向に延びる基準平面ＳＳを挟んでランプ光軸ＸＡと対称な位置にある軸である。まず、図７（Ａ）及び７（Ｂ）は、照明光束のうち偏光分離膜８１ｃによる分岐前において、進行方向に対してランプ光軸ＸＡよりも上側即ち＋Ｙ側の位置から入射する光束ＳＬの光路について模式的に示したものである。この場合、図７（Ａ）に示すように、光束ＳＬから分岐された第１部分光束ＳＬ１の光路は、＋Ｚ方向に直進するものであり、常にランプ光軸ＸＡよりも上側即ち＋Ｙ側を保った位置から射出される。これに対して、図７（Ａ）及び７（Ｂ）に示すように、光束ＳＬから分岐された第２部分光束ＳＬ２の光路は、光束調整装置８０内を折れ曲がって進み、最終的には、図７（Ａ）に示すように、副光軸ＸＡ´よりも下側即ち−Ｙ側の位置から射出される。
【００４１】
一方、図７（Ｃ）及び７（Ｄ）は、照明光束のうち偏光分離膜８１ｃによる分岐前において、進行方向に対してランプ光軸ＸＡよりも下側即ち−Ｙ側の位置から入射する光束ＳＬの光路について模式的に示したものである。この場合、第１部分光束ＳＬ１の光路は、常にランプ光軸ＸＡより下側即ち−Ｙ側を保った位置から射出される。これに対して、第２部分光束ＳＬ２の光路は、副光軸ＸＡ´よりも上側即ち＋Ｙ側の位置から射出される。
【００４２】
以上のように、光束調整装置８０に入射した光の成分は、その偏光状態に応じて分岐され異なる光路を辿り、この際、第１部分光束ＳＬ１は、偏光分岐部材８１をそのまま通過し空間的に反転しないが、第２部分光束ＳＬ２は、第１反射プリズム８２での反射により、システム光軸ＳＡを含む基準平面ＳＳに対して垂直方向即ち上下のＹ方向について空間的に反転した状態となる。
【００４３】
また、図８（Ａ）及び８（Ｂ）に示すように、第２部分光束ＳＬ２は、左右のＸ方向についても反転している。つまり、図８（Ａ）に示すように、光束調整装置８０にランプ光軸ＸＡよりも左側から入射した光のうち第１部分光束ＳＬ１は、光束調整装置８０の光路下流側に延びるシステム光軸ＳＡより左上側から射出されるのに対して、第２部分光束ＳＬ２は、システム光軸ＳＡより右下側から射出されている。一方、図８（Ｂ）に示すように、光束調整装置８０にランプ光軸ＸＡよりも右側から入射した光については、第１部分光束ＳＬ１は、光束調整装置の光路下流側に延びるシステム光軸ＳＡより右上側から射出されるのに対して、第２部分光束ＳＬ２は、システム光軸ＳＡより左下側から射出されている。
【００４４】
以上のように、光束調整装置８０において、調整された第１部分光束ＳＬ１及び第２部分光束ＳＬ２は、いずれもＳ偏光となった状態で、かつ、第１部分光束ＳＬ１が空間的に非反転であるのに対して第２部分光束ＳＬ２が上下左右について空間的に反転しており、システム光軸ＳＡに略平行な状態で射出されるものとなる。また、この際、第１光射出面８１ｅと第２光射出面８３ｄとは、同一平面上に形成されており、第１部分光束ＳＬ１と第２部分光束ＳＬ２とは、１つに纏まった連続的な照明光束として光束調整装置８０から射出される。
【００４５】
図１に戻って、均一化光学系３０は、第１及び第２レンズアレイ３１，３２と、重畳レンズ３５とを備える。第１及び第２レンズアレイ３１，３２は、例えばそれぞれマトリクス状に配置された複数の要素レンズからなるフライアイレンズである。このうち、第１レンズアレイ３１を構成する要素レンズによって、光源ランプユニット２０から射出された光束が複数の部分光束に分割される。また、第２レンズアレイ３２を構成する要素レンズによって、第１レンズアレイ３１からの各部分光束は適当な発散角で射出される。重畳レンズ３５は、第２レンズアレイ３２から射出された照明光を全体として適宜収束させることにより、光変調部５０に設けた各色の液晶ライトバルブ５０ａ，５０ｂ，５０ｃに対する重畳照明を可能にする。以上により、照明装置１０は、プロジェクター１００による投影画像形成に適した状態の照明光を射出している。
【００４６】
以上のように、本実施形態では、光束調整装置８０において、第１部分光束ＳＬ１を空間的に非反転の状態に保ち、第２部分光束ＳＬ２を空間的に反転させ、第１及び第２部分光束ＳＬ１，ＳＬ２を偏光状態の揃った状態で射出するので、均一化用のレンズアレイ３１，３２の通過後に偏光ビームスプリッターアレイを通過させる必要がなくなり、照明効率を高めることができる。また、レンズアレイ３１，３２は、偏心等の必要がなくなり、簡単な構造のものを用いることができる。また、この照明装置１０では、光束調整装置８０により偏光状態を揃える偏光変換に際して、第１部分光束ＳＬ１と第２部分光束ＳＬ２とを互いに反転して取り出しているので、凹面鏡２２ｂによって形成された照明光束に照度ムラがあってもその照度ムラを低減した偏りの少ない照明光束を得ることができる。
【００４７】
本実施形態の変形例として、図９に示すように、第２反射プリズム８３の第２光射出面８３ｄ上に１／２位相差板８４を設けることも可能である。この場合、第１部分光束ＳＬ１は、Ｐ偏光（第１偏光）の状態のまま射出され、第２部分光束ＳＬ２は、１／２位相差板８４によってＳ偏光（第２偏光）からＰ偏光（第１偏光）に変換されて射出される。つまり、この場合、光束調整装置８０全体としては、Ｐ偏光に揃えた状態の照明光束を射出するものとなる。
【００４８】
また、本実施形態の別の変形例として、図１０に示すように、平行化レンズ２１ｂの光射出面ＥＳを光束調整装置８０の光入射面８１ｄに接合させ、平行化レンズ２１ｂと光束調整装置８０とを一体化させた構造としてもよい。
【００４９】
以下、図１に戻って、プロジェクター１００全体の構成及び動作について説明する。照明装置１０の光路下流側に位置する色分離導光部４０は、第１及び第２ダイクロイックミラー４１ａ，４１ｂと、反射ミラー４２ａ，４２ｂ，４２ｃと、３つのフィールドレンズ４３ａ，４３ｂ，４３ｃと、リレーレンズ４４ａ，４４ｂとを備え、照明装置１０から射出された照明光を赤（Ｒ）色、緑（Ｇ）色、及び青（Ｂ）色の３色に分離するとともに、各色光を後段の液晶ライトバルブ５０ａ，５０ｂ，５０ｃへ導く。より詳しく説明すると、まず、第１ダイクロイックミラー４１ａは、ＲＧＢの３色のうちＲ色の照明光ＬＲを反射しＧ色及びＢ色の照明光ＬＧ，ＬＢを透過させる。また、第２ダイクロイックミラー４１ｂは、ＧＢの２色のうちＧ色の照明光ＬＧを反射しＢ色の照明光ＬＢを透過させる。つまり、第１ダイクロイックミラー４１ａで反射された赤色光ＬＲは、フィールドレンズ４３ａのある赤光路ＯＰ１に導かれ、第１ダイクロイックミラー４１ａを透過して第２ダイクロイックミラー４１ｂで反射された緑色光ＬＧは、フィールドレンズ４３ｂのある緑光路ＯＰ２に導かれ、第２ダイクロイックミラー４１ｂを通過した青色光ＬＢは、フィールドレンズ４３ｃのある青光路ＯＰ３に導かれる。各色用のフィールドレンズ４３ａ，４３ｂ，４３ｃは、第２レンズアレイ３２から射出され重畳レンズ３５を通過して光変調部５０に入射する各部分光束が、各液晶ライトバルブ５０ａ，５０ｂ，５０ｃの被照射領域上において、システム光軸ＳＡに対して適当な収束度又は発散度となるように入射角を調節している。
【００５０】
光変調部５０は、３色の照明光ＬＲ，ＬＧ，ＬＢがそれぞれ入射する３つの液晶ライトバルブ５０ａ，５０ｂ，５０ｃを備える。各液晶ライトバルブ５０ａ，５０ｂ，５０ｃは、中央に配置される液晶パネル５１ａ，５１ｂ，５１ｃと、これを挟むように配置される光路上流側の入射側偏光フィルター５２ａ，５２ｂ，５２ｃと、光路下流側の射出側偏光フィルター５３ａ，５３ｂ，５３ｃとをそれぞれ備えている。各液晶ライトバルブ５０ａ，５０ｂ，５０ｃにそれぞれ入射した各色光ＬＲ，ＬＧ，ＬＢは、各液晶ライトバルブ５０ａ，５０ｂ，５０ｃに電気的信号として入力された駆動信号或いは制御信号に応じて、画素単位で強度変調される。なお、各液晶パネル５１ａ，５１ｂ，５１ｃは、いずれも透過型の液晶パネルであり、図示による説明を省略するが、透明電極等を有する光透過性の入射側基板と、画素電極等を有する光透過性の駆動基板と、入射側基板及び駆動基板間に密閉封入される液晶層とを備える。
【００５１】
色合成部６０は、カラー画像を合成するためのクロスダイクロイックプリズムであり、その内部には、Ｒ光反射用の第１ダイクロイック膜６１と、Ｂ光反射用の第２ダイクロイック膜６２とが、平面視Ｘ字状に配置されている。この色合成部６０は、液晶ライトバルブ５０ａからの赤色光ＬＲを第１ダイクロイック膜６１で反射して進行方向右側に射出させ、液晶ライトバルブ５０ｂからの緑色光ＬＧを両ダイクロイック膜６１，６２を介して直進・射出させ、液晶ライトバルブ５０ｃからの青色光ＬＢを第２ダイクロイック膜６２で反射して進行方向左側に射出させる。
【００５２】
投射光学系７０は、投射レンズとして、色合成部６０で合成された画像光をスクリーン（不図示）上にカラー画像として投射する。
【００５３】
本実施形態のプロジェクター１００は、照明装置１０に設けた光束調整装置８０により偏光状態を揃え、照度ムラを低減した偏りの少ない照明光束を得ることができる。よって、本実施形態のプロジェクター１００は、照明光の質を保ちつつ、全体として簡易な薄型化を図ることができる。
【００５４】
〔第２実施形態〕
以下、図１１を参照して、本発明の第２実施形態に係る照明装置等について説明する。なお、本実施形態に係る照明装置は、図１等に示す照明装置１０のうち光源ランプユニットについての変形例であり、特に説明のないものは第１実施形態と同様である。
【００５５】
図１１に示すように、本実施形態に係る照明装置１１０において、光源ランプユニット１２０は、ランプ部１２１ａと、平行化レンズ１２１ｂとを備える。ランプ部１２１ａは、発光管２２ａと、凹面鏡１２２ｂと、副鏡１２３ａと、ベース１２５とを備える。
【００５６】
凹面鏡１２２ｂは、アナモフィック型の反射鏡である図２（Ｂ）等に示す照明装置１０の凹面鏡２２ｂを変形したものである。具体的には、凹面鏡１２２ｂは、ランプ光軸ＸＡを含むＸＺ面で凹面鏡２２ｂのうち下半分（−Ｙ側）について切断し、上半分（＋Ｙ側）のみを残した形状を有している。この場合、例えば凹面鏡１２２ｂの反射面ＲＦの曲面形状を、図２（Ｂ）等の凹面鏡２２ｂの反射面ＲＦの曲面形状よりも収束度を緩やかなものにすることにより、平行化レンズ１２１ｂを通過した後の被照射領域でのアスペクト比等が第１実施形態の照明装置１０の場合と同様になるように適宜調整されている。なお、発光管２２ａや凹面鏡１２２ｂは、ベース１２５に設けられた溝に合わせて所定位置で固定されている。
【００５７】
副鏡１２３ａは、ランプ光軸ＸＡに垂直な上下方向即ちＹ方向に関して発光管２２ａを挟んで凹面鏡２２ｂと対向するように配置されている。副鏡１２３ａは、ベース１２５に設けられた溝によって所定位置に固定されており、発光管２２ａの管球部ＰＢのうち凹面鏡１２２ｂの反対側の略半分を覆っている。つまり、副鏡１２３ａの反射面ＲＲは、管球部ＰＢの下半分の表面形状に対応するような半球面状となっている。副鏡１２３ａは、反射面ＲＲにより、発光管２２ａから放射された光のうち下方（−Ｙ側）に向かう光束即ち凹面鏡１２２ｂに向かわない光を、一旦発光管２２ａ内に戻して発光点ＥＰ又はその周辺を通過させ、凹面鏡１２２ｂの反射面ＲＦに入射させる補助反射鏡として機能する。以上のようにして、ランプ部１２１ａは、副鏡１２３ａのない場合に比べて高密度の光を射出可能としている。
【００５８】
平行化レンズ１２１ｂは、ランプ部１２１ａからの光束をランプ光軸ＸＡに略平行な光束にする役割を有するレンズであり、副鏡１２３ａの形状に合わせたものとなっている。つまり、平行化レンズ１２１ｂは、上記副鏡１２３ａの場合と同様に変形したものであり、図２（Ｂ）等に示す平行化レンズ２１ｂのうち少なくとも上半分（＋Ｙ側）が残るように切断した形状を有している。なお、平行化レンズ１２１ｂの屈折力は、凹面鏡１２２ｂの曲面形状に対応して、図２（Ｂ）等に示す平行化レンズ２１ｂの屈折力よりも低くなっており光束の平行化を可能にしている。
【００５９】
上記のような光源ランプユニット１２０を用いた場合、副鏡１２３ａでの反射により、通常に比べて略２倍の光束密度の光が平行化レンズ１２１ｂに向けて射出される。本実施形態の場合、光束の分布状態が第１実施形態とは異なり、射出される照明光束の照度ムラが増加する可能性があるが、光源ランプユニット１２０の光路下流側において光束調整装置８０を用いているので、照明装置１１０は、その照度ムラを低減した状態で照明光束を射出することができる。また、照明装置１１０は、照明装置１０と同様に、図１に示すプロジェクター１００に組み付けることができる。
【００６０】
また、図１２に示すように、光源ランプユニット１２０を上下方向即ちＹ方向について反転させた状態で設置してもよい。この場合、照明装置１１０全体をＹ方向について薄くすることができ、かつ、照度ムラを低減した状態で照明光束を射出することができる。
【００６１】
以上各実施形態に即して本発明を説明したが、本発明は、上記各実施形態に限定されるものではない。
【００６２】
まず、各実施形態では、水平断面について放物状で垂直断面について楕円状となるアナモフィック型の反射面ＲＦを用いているが、本発明は、光入射面のアスペクト比が２：１以上となるような極端に扁平な光束断面ＦＦを有する光束即ちシート光束を作ることができるものであれば、上記のようなアナモフィック型の反射面に限らず、水平断面での弧の形状と、垂直断面での弧の形状とが異なる非回転対称な種々の凹面形状を有する面を凹面鏡２２ｂ，１２２ｂの反射面ＲＦとして適用できる。例えば、凹面鏡は、水平断面と垂直断面とで互いに離心率や焦点距離等の異なる楕円状の反射面を有しているものであってもよい。
【００６３】
また、上記第１実施形態では、副鏡２３ａを用いているが、副鏡２３ａを有しない構成も可能である。
【００６４】
また、上記各実施形態では、いずれも水平断面ＨＳの形状を放物状、垂直断面ＰＳの形状を楕円状としているが、逆に、水平断面ＨＳの形状を楕円状とし、垂直断面ＰＳの形状を放物状としてもよい。例えば、縦置き型のプロジェクターについては、水平断面ＨＳの形状を楕円状とし、垂直断面ＰＳの形状を放物状とすることができる。
【００６５】
また、上記各実施形態では、偏光分岐部材８１の偏光分離膜８１ｃにおいて、第１部分光束ＳＬ１が通過し、第２部分光束ＳＬ２が反射され第１反射プリズム８２等を経る構成となっており、両光束ＳＬ１，ＳＬ２が射出される各光射出面８１ｅ，８３ｄは、入射面８１ｄに対して平行に配置される構成となっている。しかし、偏光分岐部材８１の構成はこれに限らず、例えば各光射出面８１ｅ，８３ｄが入射面８１ｄに対して垂直に配置される構成とすることも可能である。つまり、偏光分離膜８１ｃにおいて、第１部分光束ＳＬ１が反射され、第２部分光束ＳＬ２が通過するものとし、偏光分岐部材８１を通過した第２部分光束ＳＬ２の射出側に第１反射プリズム８２等を配置することで各光射出面８１ｅ，８３ｄが入射面８１ｄに対して垂直となる構成にしてもよい。
【００６６】
また、上記各実施形態では、光束調整装置８０において、第１反射部材である第１反射プリズム８２の第２側面及び第３側面８２ｂ，８２ｃに反射膜ＲＭ１，ＲＭ２を施して２度の折り曲げを行っているが、第２側面及び第３側面８２ｂ，８２ｃでの全反射により光束を折り曲げられる場合には、反射膜ＲＭ１，ＲＭ２を設けなくてもよい。また、第１反射プリズム８２に代えて、例えば２枚のミラーを設置する構成としてもよい。また、第２反射部材である第２反射プリズム８３は、２つの三角柱プリズム８３ａ，８３ｂを貼り合わせて構成されているが、三角柱プリズム８３ａに反射膜８３ｃを施したもので第２反射プリズム８３を構成し、第２反射部材として機能させてもよい。この場合も、全反射により光束を折り曲げられる場合には、反射膜８３ｃを設けなくてもよい。また、三角柱プリズム８３ａに代えて、ミラーやＰＢＳによって第２反射部材を構成してもよい。
【００６７】
また、上記実施形態では、透過型の液晶ライトバルブ５０ａ，５０ｂ，５０ｃを備えるプロジェクターに本発明を適用した場合の例について説明したが、本発明は、反射型の液晶ライトバルブを備えるプロジェクターにも適用することが可能である。ここで、「透過型」とは、液晶ライトバルブが光を透過するタイプであることを意味しており、「反射型」とは、液晶ライトバルブが光を反射するタイプであることを意味している。
【００６８】
また、プロジェクターとしては、投射面を観察する方向から画像投射を行う前面投射型のプロジェクターと、投射面を観察する方向とは反対側から画像投射を行う背面投射型のプロジェクターとがあるが、図１等に示すプロジェクターの構成は、いずれにも適用可能である。
【００６９】
また、上記各実施形態の照明装置１０，１１０は、プロジェクターに限らず、偏光状態の揃った平行光束を必要とする種々の光学装置に適用可能である。
【符号の説明】
【００７０】
１０，１１０…照明装置、  ２０，１２０…光源ランプユニット、  ２１ａ，１２１ａ…ランプ部、  ２１ｂ，１２１ｂ…平行化レンズ、  ２２ａ…発光管、  ２２ｂ，１２２ｂ  …凹面鏡、  ＲＦ，ＲＦａ，ＲＦｂ，ＲＦｃ…反射面、  ２３ａ，１２３ａ…副鏡、  ３０…均一化光学系、  ４０…色分離導光部、  ５０…光変調部、  ５０ａ，５０ｂ，５０ｃ…液晶ライトバルブ、  ５１ａ，５１ｂ，５１ｃ…液晶パネル、  ６０…色合成部、  ７０…投射光学系、  １００…プロジェクター、  ＨＳ…水平断面、  ＰＳ…垂直断面、  ＳＡ…システム光軸
【図１】
2011113002.tif 000004
【図２】
2011113002.tif 000005
【図３】
2011113002.tif 000006
【図４】
2011113002.tif 000007
【図５】
2011113002.tif 000008
【図６】
2011113002.tif 000009
【図７】
2011113002.tif 000010
【図８】
2011113002.tif 000011
【図９】
2011113002.tif 000012
【図１０】
2011113002.tif 000013
【図１１】
2011113002.tif 000014
【図１２】
2011113002.tif 000015